(57)【要約】【課題】ゴルフコースのグリーン上でボールマークの凹みの種類によらず容易にかつ綺麗に修復が可能なグリーンフォークを提供する。【解決手段】２枚のグリーンフォークを２軸丁番の形態により結合し、一方では２枚のグリーンフォークが重なるような配置６０が出来、また一方ではピンセット型形状６１に固定できるようにする。深い凹みでは配置６０にて従来のグリーンフォークと同様に使用し、浅い凹みではピンセット型６１にて凹み部を挟み持ち上げるように使用することで種々のタイプのボールマークの修正に対応可能となる。【選択図】図１０
2018015346.tif 000002
【特許請求の範囲】
【請求項１】
２枚のグリーンフォークを有し、その２枚がフォーク刃部と反対側で繋がる構造を持ち、且つ２枚のグリーンフォークのフォーク刃部同士が１枚の如く重なり合う配置と、２枚のグリーンフォークのフォーク刃部がほぼ平行で一定の距離を保ちピンセットのような配置で固定される２種類の構造を持つことを特徴としたグリーンフォーク。
【請求項２】
請求項１に記載のグリーンフォークにおいて、２枚のグリーンフォークのフォーク刃部と反対側がカール状に加工されていて２軸丁番の形態により結合されていて、２枚のグリーンフォークが各々ほぼ１８０度回転可能であることを特徴とするグリーンフォーク。
【請求項３】
請求項２に記載のグリーンフォークにおいて、グリーンフォークのフォーク刃部と反対側に形成されたカール部の根元付近が曲げられていて、２枚のグリーンフォークのフォーク刃部が一方では重なり合うが、各々１８０度程度回転させた場合には２枚のグリーンフォークの丁番付近に両者が重なり合うこと防止するストッパーを配置することによりフォーク刃部が重なり合わずピンセット状態を保持することが可能となるグリーンフォーク。
【発明の詳細な説明】
【技術分野】
【０００１】
本発明はゴルフコースでグリーン上のボールマークを修正するグリーンフォークに関するものである。
【背景技術】
【０００２】
ゴルフコースのグリーン上ではボールが落下した際に、その衝撃により図１に示すようなボールマークと言われる凹み１０が出来る。このボールマークはボールの転がりに影響を与えてしまうため、平坦に修正することがプレーヤーのマナーとして求められている。また、過去に他人が作ったボールマーク跡についても修正することがルール上許されており、その際に用いるのがグリーンフォークである。
【０００３】
図２に従来型グリーンフォーク２０の概略（斜視）図を示す。手で持つ部分２１とそれに繋がるフォークの刃２２で形成されている。フォークの刃は２本が主流になっている。
【０００４】
使用方法は図３（a）（b）に示すようにボールマークの盛り上がった周辺部にグリーンフォーク２０の刃先を突き刺し、刃先と反対の手元側を中央部に向かって倒すようにして盛り上がりを中央へ寄せることで凹みを修正する。この動作を（c）（d）のように凹みの反対側でも繰り返し（必要に応じて他の周辺部でも繰り返し）、最後にパターの底などで軽く叩いて平坦にする。
【０００５】
この方法では綺麗に平坦化することは容易ではないが、自身のプレーに影響しない場所であれば、概ね修正しておけば後に芝の成長や雨等による経時変化により元通りになる。また、実際に自分が作ったボールマークが自身のプレーに影響する場合は少なく、従来の方法でもあまり問題は無い。
【０００６】
プレーに影響を与える場所に存在するケースが多いのは過去に他人が作ったボールマーク跡であり、これは綺麗に修正する必要があるが従来の方法ではそれが容易ではなかった。過去に出来たボールマーク跡は図１のように大きな凹みでは無く、既に大まかに修正され、また経時変化等によって図４に示すような浅い凹み３０の場合が多い。この場合は周辺の盛り上がりが無いため従来の方法では綺麗に修正することが容易ではなかった。
【０００７】
図５（a）（b）で示すように差し込んだグリーンフォーク２０の刃先側を持ち上げるようにすれば良さそうではあるが、このやり方は芝の根を切ってしまう危険性があるため推奨されていない。
【０００８】
最近では図６に示すような円柱にジグザグ状の細い金属棒を装着した新しいタイプのグリーンフォーク４０も登場しており、図７（a）（b）のように凹みに差込み、軽く捻りながら引き上げることで凹み部分を持ち上げて平坦化させることが出来る。
【０００９】
しかし、このタイプのグリーンフォークは浅い凹みの場合は良いが、深く大きな凹みの場合はうまく平坦化することが困難で、却って従来タイプのグリーンフォークの方が使いやすい。
【発明の概要】
【発明が解決しようとする課題】
【００１０】
解決しようとする問題点は、既存のグリーンフォークでは深い浅い等のタイプの違うボールマークの全てに対応できないという点である。
【課題を解決するための手段】
【００１１】
本発明は２枚のグリーンフォークを組み合わせ方により、２つのタイプの形状と機能を持たせることを特徴としている。図８はその基本概念を説明する斜視図である。図中の５０で示すような形状のグリーンフォークを２枚用意し、一つは５１のように組み合わせることによりピンセットのような形状と機能を、もう一方は５２のように重ね合わせることにより、従来のグリーンフォークのような形状と機能を持たせることで課題を解決した。
【発明の効果】
【００１２】
本発明によるグリーンフォークでは、図１の１０のような深く大きな凹みの場合は図８の５２の組み合わせにより従来のグリーンフォークのように使用する。一方、図４の３０のような浅い凹みの場合は図８の５１のように組み合わせてピンセットのように使用する。
【００１３】
その使い方は図９の（a）（b）（c）の順に示すようにボールマーク部に差し込んだ後、２枚の刃で軽く挟み込みながら持ち上げることで凹みを簡単に修正することが出来る。フォークの刃をほぼ垂直方向の状態で引き上げるため芝の根を切る危険性はほとんど無い。
【図面の簡単な説明】
【００１４】
【図１】グリーンに形成されたボールマークを示した断面図である。
【図２】従来のグリーンフォークを示した斜視図である。
【図３】従来のグリーンフォークの使い方を示す図である。
【図４】浅い凹みのボールマークの状態を示す断面図である。
【図５】従来のグリーンフォークでの使い方を示す図である。
【図６】新しいタイプのグリーンフォークを示した斜視図である。
【図７】新しいタイプのグリーンフォークの使い方を示す図である。
【図８】本発明のグリーンフォークの基本概念を説明する斜視図である。
【図９】本発明のグリーンフォークの使い方を説明する図である。
【図１０】本発明のグリーンフォークを示す斜視図である。
【図１１】本発明のグリーンフォークを構成する部品を示す図である。
【図１２】本発明のグリーンフォーク部品の加工について説明する図である。
【図１３】本発明のグリーンフォーク部品の加工について説明する図である。
【図１４】本発明のグリーンフォーク部品の加工について説明する図である。
【図１５】本発明のグリーンフォークを構成する部品を示す斜視図である。
【図１６】本発明のグリーンフォークを構成する部品を示す斜視図である。
【図１７】本発明のグリーンフォークを構成する部品を示す図である。
【図１８】本発明のグリーンフォークの組立方法を説明する図である。
【図１９】本発明のグリーンフォークの組立方法を説明する図である。
【図２０】本発明のグリーンフォークの組立方法を説明する図である。
【図２１】本発明のグリーンフォークの構造、機能を説明する図である。
【図２２】本発明のグリーンフォークの構造、機能を説明する図である。
【図２３】本発明のグリーンフォークの構造、機能を説明する図である。
【図２４】本発明のグリーンフォークの構造、機能を説明する図である。
【図２５】本発明のグリーンフォークの構造、機能を説明する図である。
【発明を実施するための形態】
【００１５】
図８、９は本発明のグリーンフォークの特徴、つまり２枚のグリーンフォークの組み合わせ方で従来型とピンセット型の両方の形状と機能を有するグリーンフォークの基本概念を説明するものであるが、２軸丁番と組み合わせることで実用性やコストを考慮した形で実現した。
【００１６】
図１０は本実施例によるグリーンフォークの全体を示す斜視図である。２枚のグリーンフォークをフォーク刃部と反対側を２軸丁番の形態で結合させている。図中６０は２枚のグリーンフォークが閉じて重なり合い従来型のグリーンフォークと同様の機能を有し、図中６１は２枚のグリーンフォークが開きピンセットのような形状と機能を有した状態を示している。
【実施例】
【００１７】
具体的な実施例を説明する。本発明のグリーンフォークは、（１）グリーンフォーク部―２枚、（２）丁番の回転部に使用する円柱状の平行ピン―４本、（３）それを固定する円盤状のプレート―２枚、の３種類の部品から構成されている。
【００１８】
各部品について順に説明する。図１１にグリーンフォーク部の原型７０を示す。フォーク刃部の反対側は幅をやや細くしておく。材質は樹脂や金属等が考えられるがここでは一例としてステンレスとする。全体の大きさはポケットに入る程度が好ましく、また厚みに関しては使い勝手を考慮すると１〜２ｍｍ程度が良いが、ここでは一例として長さ１００ｍｍ×幅１６ｍｍ、厚みは１.５ｍｍ、フォークの刃の長さは３５ｍｍとする。フォークの刃部と反対側の幅は９ｍｍ弱とする。
【００１９】
このグリーンフォーク原型７０のフォーク刃部と反対側をカール状に曲げて、図１２に示すようなカール部７２を有するグリーンフォーク７１に加工する。図中（a）は斜視図、（b）は側面図を示している。
【００２０】
次にこのグリーンフォーク７１のカール部側をやや曲げて図１３に示す形状のグリーンフォーク７３に加工する。同じく図中（a）は斜視図、（b）は側面図を示している。曲げる度合いは図１４に示すように２枚を重ね合わせた時にカール部同士の接点も含めほぼ一直線に重なるようにする。
【００２１】
カール部には後に平行ピンを挿入するが、スムーズに回転出来るようにするため、その内径は平行ピンの外径よりやや大きくする必要がある。ここでは外径３ｍｍの平行ピンを使用するため、カール部の内径は３ｍｍ強としておく。
【００２２】
図１５に円柱形の平行ピン８０の斜視図を示す。円柱の長さは１４ｍｍ、円の直径は前述のとおり３ｍｍとする。材質は一例としてグリーンフォーク部と同じステンレスとする。
【００２３】
図１６に円盤状プレート９０の斜視図を示す。直径１４ｍｍ、高さ３ｍｍの円柱形で、円盤の片面に４つの円柱状の穴９１、９２、９３、９４がそれぞれ形成されている。この４つの穴は平行ピンを挿入して固定させるためのものである。
【００２４】
図１７（a）に円盤状プレート９０の円柱を上から見た図を示す。円盤の中心を通り互いに直角に交わるＡ−Ａ′線とＢ−Ｂ′線上に４つの穴９１、９２、９３、９４の中心が位置する。その位置は一例として、穴９１、９３はその中心から円盤状プレート９０の中心までの寸法が３.６ｍｍ、穴９２、９４はついてはその寸法が３.２ｍｍの位置に形成する。この位置関係については後に説明する。図中のＡ―Ａ′線を通る断面図を（b）に示す。Ｂ―Ｂ′線を通る断面図も穴間の距離を除き同様である。穴の内径は３ｍｍで深さは２.５ｍｍとする。円盤状プレートの材質は一例としてグリーンフォーク部と合わせステンレスとする。
【００２５】
この３種類の部品、グリーンフォーク７３、平行ピン８０、円盤状プレート９０を使って組み立てを行う。まず図１８（a）に示すように円盤状プレート９０の４つの穴に平行ピン８０を４本差込み固定する。（ｂ）に固定された後の状態を示す。図中９１ｐ、９２ｐ、９３ｐ、９４ｐはそれぞれ穴９１、９２、９３、９４に差し込まれた平行ピンを示す。
【００２６】
次に図１９に示すように円盤状プレート９０に固定された平行ピン９２ｐ、９４ｐに２枚のグリーンフォーク７３が向かい合わせになるようにカール部を各々挿入し、図２０のように最後にもう１枚の円盤状プレート９０をはめ込み固定し完成となる。（完成形は図１０の６０）
【００２７】
図２１に円盤状プレート９０によって固定された部分のみの正面図を示す。正面から見えない平行ピン８０の部分は破線で示してある。平行ピン８０の長さ１４ｍｍの両端が、円盤状プレート９０の穴に各々２.５ｍｍが挿入されるため残りの幅は９ｍｍとなるが、グリーンフォークのカール部７２の幅を９ｍｍ弱としてあるため円盤状プレート９０との間に隙間があり回転を阻害することは無い。平行ピン８０の穴への固定方法はここでは接着材を使用するが、平行ピンと穴の加工交差をしまりばめにして圧入する方法等もある。
【００２８】
２枚のグリーンフォーク７３は図２０の閉じた状態から図２２のように回転し、図２３のように開いてピンセット型へ変化することが出来る。図２２、２３では説明用として片側の円盤状プレートが無い状態を示している。
【００２９】
図２４（a）にグリーンフォークが重なり合って通常のグリーンフォークとして機能する配置、また（b）に反対側に回転してピンセット型として機能する配置の側面図を示している。ここでも説明用として片側の円盤状プレートを外してあるが、分かりやすくするために回転部のみを拡大して説明する。
【００３０】
図２５に回転部のみの拡大図を示す。（ａ）は閉じた状態、（ｃ）は開いた状態、（ｂ）はその途中の回転している状態を示している。（ｃ）では図中の矢印に示す位置で、平行ピン９１ｐがグリーンフォーク７３とぶつかり、これ以上閉じることを防ぐストッパー的な役目をしており、グリーンフォーク材質の弾性によりピンセットのような機能を有することが出来る。対して、（ａ）ではグリーンフォーク７３が平行ピン９３ｐに触れることなく完全に閉じて２枚のグリーンフォークが重なることが可能となる。
【００３１】
つまり、平行ピン９２ｐ、９４ｐは丁番の軸として、９１ｐはピンセット型の構造を形成するためのストッパーとしての役目を担っている。平行ピン９３ｐは無くても本実施例は成立するが、両サイドの円盤状プレート９０を固定する強度の面からあった方が望ましい。
【００３２】
ここで使い勝手を考えたときに重要なことは以下の３点である。
（１）グリーンフォーク７３がスムーズに回転する。
（２）図２４（ａ）の閉じた時の２枚のグリーンフォーク７３は重なり合う。
（３）図２４（ｂ）のピンセット状態になった時、２枚のグリーンフォーク７３が平行もしくはやや開いた状態で固定される。
【００３３】
上記の３点は、円盤状プレートの４つの穴の位置、平行ピンの外径、グリーンフォークの厚みと曲げ部分のＲの度合いの組み合わせによって決まる。本実施例では一例として前述のような数値によって実現したが、この数値の組み合わせ方はある程度任意に選ぶことが可能である。
【産業上の利用可能性】
【００３４】
以上説明したように本発明によるグリーンフォークにより、種々のタイプのボールマークに対して修正が容易になり、また図１０の６０に示す閉じた状態にしておけば嵩張らずポケット等に入れて携帯してもプレーの妨げになることは無い。
【符号の説明】
【００３５】
１０  ボールマークの凹み
２０  従来型のグリーンフォーク
２１  従来型グリーンフォークの指で持つ部分
２２  従来型グリーンフォークの刃部分
３０  浅い凹みのボールマーク
４０  新しいタイプのグリーンフォーク
５０  本発明の基本概念によるグリーンフォーク
５１  本発明の基本概念によるグリーンフォーク組み合わせ
５２  本発明の基本概念によるグリーンフォーク組み合わせ
６０  本発明のグリーンフォーク（閉じた状態）
６１  本発明のグリーンフォーク（開いた状態）
７０  本発明のグリーンフォーク部の原型 
７１  カール形状を施した本発明のグリーンフォーク部
７２  カール部
７３  カール部に曲げを施した本発明のグリーンフォーク部
８０  平行ピン
９０  円盤状プレート
９１  円盤状プレートに空けた穴
９２  円盤状プレートに空けた穴
９３  円盤状プレートに空けた穴
９４  円盤状プレートに空けた穴
９１ｐ  ９１に挿入された平行ピン
９２ｐ  ９２に挿入された平行ピン
９３ｐ  ９３に挿入された平行ピン
９４ｐ  ９４に挿入された平行ピン
【図１】
2018015346.tif 000003
【図２】
2018015346.tif 000004
【図３】
2018015346.tif 000005
【図４】
2018015346.tif 000006
【図５】
2018015346.tif 000007
【図６】
2018015346.tif 000008
【図７】
2018015346.tif 000009
【図８】
2018015346.tif 000010
【図９】
2018015346.tif 000011
【図１０】
2018015346.tif 000012
【図１１】
2018015346.tif 000013
【図１２】
2018015346.tif 000014
【図１３】
2018015346.tif 000015
【図１４】
2018015346.tif 000016
【図１５】
2018015346.tif 000017
【図１６】
2018015346.tif 000018
【図１７】
2018015346.tif 000019
【図１８】
2018015346.tif 000020
【図１９】
2018015346.tif 000021
【図２０】
2018015346.tif 000022
【図２１】
2018015346.tif 000023
【図２２】
2018015346.tif 000024
【図２３】
2018015346.tif 000025
【図２４】
2018015346.tif 000026
【図２５】
2018015346.tif 000027
【手続補正書】
【提出日】平成29年2月1日(2017.2.1)
【手続補正１】
【補正対象書類名】特許請求の範囲
【補正対象項目名】請求項２
【補正方法】変更
【補正の内容】
【請求項２】
請求項１に記載のグリーンフォークにおいて、２枚のグリーンフォークのフォーク刃部と反対側が２軸丁番の形態により結合されていて、２枚のグリーンフォークが各々ほぼ１８０度回転可能であることを特徴とするグリーンフォーク。
【手続補正２】
【補正対象書類名】特許請求の範囲
【補正対象項目名】請求項３
【補正方法】変更
【補正の内容】
【請求項３】
請求項２に記載のグリーンフォークにおいて、グリーンフォークのフォーク刃部の反対側に形成された２軸丁番の軸となる部分の根元付近が曲面形状になっており、２枚のグリーンフォークのフォーク刃部が一方では重なり合うが、各々１８０度程度回転させた場合には２枚のグリーンフォークの丁番付近に両者が重なり合うこと防止するストッパーを配置することによりフォーク刃部が重なり合わずピンセット状態を保持することが可能となるグリーンフォーク。